(57)【要約】【課題】  省エネルギー化と住環境を改善しつつ、さらには温暖化防止の一助ともなる、省エネ建具を提供することである。【解決手段】  溝３３及び磁石３６を備えた木枠３１Ａ、３１Ｂと、溝３７を備えた木枠３２Ａ、３２Ｂとによって構成する建具枠の内面に、ガイド枠４を備えた樹脂ユニット１０と、木枠２１Ａ、２１Ｂに磁石２５を装備した障子ユニット２０を、容易に一体化させるように構成した。【選択図】    図１７
2005264592.tif 000002
【特許請求の範囲】
【請求項１】
枠材と表装材で構成される建具の、表装材部分に樹脂板を使用する建具に於いて、該樹脂板の両端面にガイド枠を装着させてなる樹脂ユニットをあらかじめ溝加工を施した枠材に挿入、嵌合させる構成にした事を特徴とする省エネ建具。
【請求項２】
枠材と表装材で構成される障子以外の建具に於いて、該枠材の内側に孔加工を施し磁石を装着した建具と、外側に孔加工を施し磁石を装着した木枠と桟及び障子紙で構成された障子ユニットを合体させ、磁力で固定するように構成した事を特徴とする省エネ建具。
【発明の詳細な説明】
【技術分野】
【０００１】
この発明は、熱遮蔽、紫外線遮断、防音、衝撃等に優れた機能を持つ、市販の樹脂板、特にリブを介して中空の２層構造に形成された、ポリカーボネートを表装材とし、単独又は既存建具と併用、複合使用される省エネ建具に関する。
【背景技術】
【０００２】
日本住宅の建具は、大別すると家屋の内外を仕切る窓、雨戸、ドアなどと、家屋の内部に於いて各部屋間に使用される、障子、襖、ついたてなどがあり、一般的に屋外に面する部分にはアルミ素材やガラスが、屋内に於いては木材や紙などが多用されている。
【発明の開示】
【発明が解決しようとする課題】
【０００３】
従来、日本住宅のアルミサッシ窓や引き戸などは、一重のガラスを利用した物が多く、特に断熱、防音等に対し、二重ガラスへの変更が対策としてとられていたが、コストが高い、重量が重くなるなどの課題があった。
【０００４】
また、従来の障子は部屋間の仕切りに利用される建具であり、本来、断熱や防音効果を持つ障子は存在しなかった。
【０００５】
上記課題の解決手段として、先願技術の（特願２００１−２５２１５５）があり、建具の表面材にポリカーボネートを用いた事を特徴とする各請求項が存在するが、ポリカーボネートのメーカー資料には、建具、窓、天窓等の用途が記載されており、建築業界に於いてもガラスに替わる素材として認識され、広く市販もなされている事等から、ポリカーボネートを建具の表面材に用いる事、そのものに新規性は存在しない。
【０００６】
また、前記先願の請求項４に記載の事項は、同一木枠内に中空構造パネルと障子本体を配しその侠間に障子紙を侠持するとの要旨であるが、単に侠持するのみでは、本来吸湿性のある障子紙は中空構造パネルに張り付き、余計にしわが寄りやすいと考えられ、また木枠と中空構造パネルがビスで固定されている事から、障子紙の張替えも容易ではない。
【０００７】
さらに、同先願の「発明が解決しようとする課題」に記載の、障子は木枠及び桟の双方に貼り付けられているため湿気によってしわが寄りやすいと言った欠点がある、との指摘であるが、障子紙は木枠と桟の双方に糊付けされているからこそ張りつめた状態を維持し、しわが寄りにくいのであり欠点とは言えない。
【０００８】
そこで本発明は、上記課題を解決するため、省エネルギー化と住環境を改善しつつ、さらには温暖化防止の一助ともなる、省エネ建具を提供する。
【課題を解決するための手段】
【０００９】
本発明は、前記課題を解決するために、枠材と樹脂板で構成される建具に於いて、樹脂板の両端面にガイド枠を装着させてなる樹脂ユニットを、あらかじめ溝加工を施した枠材に挿入、嵌合させるように構成した。
【００１０】
また、枠材と表装材で構成される障子以外の建具に於いて、該枠材の内側に孔加工を施し磁石を装着した建具と、外側に孔加工を施し磁石を装着した木枠と桟及び障子紙で構成した障子ユニットを合体させ、磁力で固定するよう構成した。
【発明の効果】
【００１１】
上述の通り、本発明の省エネ建具は、省エネルギー化と住環境の改善を図りながら、さらには温暖化防止の一助ともなる、省エネ建具の提供が出来る。
【発明を実施するための最良の形態】
【００１２】
以下、本発明の実施の一形態を、図面に基づいて詳説する。
【００１３】
図１記載の樹脂板１は、複数のリブ２を介して空間を有するように２重構造に成型された、ポリカーボネートの正面図、図２はその側面図である。
【００１４】
図３は、木材に下駄の歯状の切削加工を施し、溝５を形成させたガイド枠４の正面図、図５はその側面図である。
【００１５】
図５は、樹脂板１の両端面３にガイド枠４を装着してユニット化させた、樹脂ユニット１０を示した正面図、図６はその側面図である。
【００１６】
上記の図１〜図６は、ガイド枠４に設けたミゾ５に、樹脂板１の両端面３、３を嵌合、装備させ、ネジ６で固定してユニット化を図った事で、樹脂板１の補強と後述する省エネ建具３０の木枠３１Ａ、３１Ｂに対する装着の簡易性、さらには該木枠３１Ａ、３１Ｂの変形（中間部の開き）防止の役目を兼ね備えた、樹脂ユニット１０を構成した事を示している。
【００１７】
次に、図７は障子ユニット２０の斜視図であり、図８は木枠２１Ａ、図９は木枠２１Ｂ、図１０は木枠２２Ａ、図１１は木枠２２Ｂの斜視図である。
【００１８】
上記の図７〜図１１は、木枠２１Ａ及び木枠２１Ｂの外側に複数の孔２４、２４を設け、該孔２４、２４それぞれに磁石２５、２５を埋め込み、他の木枠２２Ａ及び木枠２２Ｂと桟２３Ａ、２３Ｂとから、障子ユニット２０を構成した。
（桟は一般的な障子と同様である為、ここでは単独の図面を省略する）
【００１９】
この障子ユニット２０は、後述の省エネ建具３０に於いて、磁石３６、３６を備えた木枠３１Ａ、３１Ｂと、他の木枠３２Ａ、３２Ｂで構成される四角枠の内面に装着するものである。
【００２０】
次に、図１２は各部材の取り合いをわかり易く示した、省エネ建具３０の部分斜視図であり、図１３、図１４、図１５、図１６は省エネ建具３０の外周を形成する木枠を示し、図１７は省エネ建具３０の一部を破断した斜視図である。
【００２１】
上記の図１２〜図１７は、縦枠となる木枠３１Ａ及び木枠３１Ｂの内側にあらかじめ加工を施し、溝３３と、複数の孔３５、３５を設け、該孔３５、３５それぞれに磁石３６、３６を埋め込んでいる、一方横枠となる木枠３２Ａと木枠３２Ｂにも内側に溝３７を設けている。
【００２２】
この木枠３１Ａ、３１Ｂに設けた溝３３には、前述のガイド枠４が挿入、装着されるが、該ガイド枠４が樹脂板１に固定されている為、一般的な建具にありがちな縦枠の変形（中間部の開き）が防止できる、また磁石３６、３６は障子ユニット２０の木枠２１Ａ、２１Ｂに設けた磁石２５、２５とあらかじめ引き合うようように配置している為、障子ユニット２０は省エネ建具３０への着脱が容易であり障子紙の張替えも簡単である。
【００２３】
このように、市販品の樹脂板１にガイド枠４を設けた事と、障子枠に磁石を装備させ、それぞれを樹脂ユニット１０及び障子ユニット２０のようにユニット化したことにより、樹脂ユニット１０の単独、又は障子ユニット２０との複合使用が任意に行え、メンテナンスも容易である。
【００２４】
上記、実施の形態おいて、樹脂板１以外の素材に木材を用いているが、素材を木材に限定するものでなく、アルミや樹脂材であっても良い、しかい冬季や寒冷地などに見られる結露を防止するには、木質系が望ましい。
【００２５】
また、樹脂板１の素材も、ポリカーボネートに限定するものではないが、熱遮蔽、紫外線遮断、防音、耐衝撃性などから見て、ポリカーボネートが望ましい。
【００２６】
本発明は、上述のように構成したが、実施の形態に限定するものでは無く、例えば、樹脂板１とガイド枠４の固定には、ネジ６ではなく両面テープや接着剤を用いても良く、また形状の変更等があっても、本発明の要旨を逸脱しない範囲に於ける変更が成されて良い。
【図面の簡単な説明】
【００２７】
【図１】本発明の実施の一形態を示す、樹脂板の正面図である。
【図２】樹脂板の側面図である。
【図３】ガイド枠の正面図である。
【図４】ガイド枠の側面図である
【図５】樹脂ユニットの正面図である。
【図６】樹脂ユニットの側面図である。
【図７】障子ユニットの斜視図である。
【図８】同、木枠の斜視図である。
【図９】同、木枠の斜視図である。
【図１０】同、木枠の斜視図である。
【図１１】同、木枠の斜視図である。
【図１２】本発明の主要部である、取り合い部分の斜視図である。
【図１３】主要部の木枠斜視図である。
【図１４】同、木枠斜視図である。
【図１５】同、木枠斜視図である。
【図１６】同、木枠斜視図である。
【図１７】本発明による完成品の、一部を破断した斜視図である。
【符号の説明】
【００２８】
１  樹脂板（ポリカーボネ―ト）
４  ガイド枠
５  溝
１０  樹脂ユニット  
２０  障子ユニット
２４  孔
２５  磁石
３０  省エネ建具
３３  溝
３５  孔
３６  磁石
３７  孔
【図１】
2005264592.tif 000003
【図２】
2005264592.tif 000004
【図３】
2005264592.tif 000005
【図４】
2005264592.tif 000006
【図５】
2005264592.tif 000007
【図６】
2005264592.tif 000008
【図７】
2005264592.tif 000009
【図８】
2005264592.tif 000010
【図９】
2005264592.tif 000011
【図１０】
2005264592.tif 000012
【図１１】
2005264592.tif 000013
【図１２】
2005264592.tif 000014
【図１３】
2005264592.tif 000015
【図１４】
2005264592.tif 000016
【図１５】
2005264592.tif 000017
【図１６】
2005264592.tif 000018
【図１７】
2005264592.tif 000019